【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
非同期転送モード（ＡＴＭ）オンデマンド・ディジタル・ドキュメント伝送システムであって、
顧客がディジタル・ドキュメントをオンデマンドで注文および受信することを可能にするように構成された顧客インタフェース・ユニットと、
交換ＡＴＭネットワークを介して顧客に伝送するためのディジタル・ドキュメントを記憶したサーバと、
顧客から注文があったときに前記サーバから送信されるディジタル・ドキュメントを記憶するための、前記サーバに結合されたキャッシュ・メモリとを備え、前記キャッシュ・メモリが、前記サーバの代わりに前記オンデマンド注文に応じることによりネットワーク・トラフィックを低減する、ドキュメント伝送システム。
【請求項２】
前記顧客インタフェース・ユニットが、ディジタル加入者線（ＤＳＬ）技術をサポートする顧客構内ユニットを備える、請求項１に記載のドキュメント伝送システム。
【請求項３】
前記顧客インタフェース・ユニットが、顧客注文が電話インタフェースにより行われることを許容する、請求項１に記載のドキュメント伝送システム。
【請求項４】
前記キャッシュ・メモリをチェックして、顧客から要求された前記ディジタル・ドキュメントが前記キャッシュ・メモリに記憶されているかどうかを決定するための、前記サーバに結合されたネットワーク制御システムを更に備える、請求項１に記載のドキュメント伝送システム。
【請求項５】
前記サーバが、前記ドキュメントを前記キャッシュ・メモリと前記顧客とに同時に伝送するように構成された、請求項１に記載のドキュメント伝送システム。
【請求項６】
前記キャッシュ・メモリ中に所定のドキュメントが保持される時間を決定するための、前記サーバに結合されたネットワーク制御システムを更に備える、請求項１に記載のドキュメント伝送システム。
【請求項７】
前記キャッシュ・メモリ中に前記所定のドキュメントが保持される時間が、前記所定のドキュメントに対して出された注文の数に基づく、請求項６に記載のドキュメント伝送システム。
【請求項８】
ディジタル加入者線（ＤＳＬ）リンク上の信号を経路指定するためのマルチプレクサを更に備え、前記マルチプレクサが前記キャッシュ・メモリを備える、請求項１に記載のドキュメント伝送システム。
【請求項９】
前記キャッシュ・メモリが、前記交換ＡＴＭネットワーク内の端に位置し、それにより、前記キャッシュ・メモリに記憶されたコンテンツが、前記交換ＡＴＭネットワーク内で前記顧客インタフェース・ユニットに最も近い箇所から得られる、請求項８に記載のドキュメント伝送システム。
【請求項１０】
前記サーバに結合されたネットワーク制御システムを更に備え、前記ネットワーク制御システムが、前記キャッシュ・メモリに記憶されたコンテンツを管理する、請求項１に記載のドキュメント伝送システム。
【請求項１１】
前記ドキュメントがビデオであり、前記伝送システムがビデオ・オン・デマンド（ＶｏＤ）伝送システムである、請求項１に記載のドキュメント伝送システム。
【請求項１２】
前記顧客インタフェース・ユニットが顧客制御装置に結合され、それにより前記顧客が、ネットワーク制御システムにリモートで信号送信することにより、前記顧客に伝送されている前記ビデオのデータ・ストリームを制御する、請求項１１に記載のドキュメント伝送システム。
【請求項１３】
前記キャッシュ・メモリまたは前記サーバに記憶されたコンテンツへの顧客アクセスを制御するために、前記顧客インタフェース・ユニットと前記キャッシュ・メモリとに結合されたネットワーク制御システムを更に備える、請求項１に記載のドキュメント伝送システム。
【請求項１４】
前記キャッシュ・メモリまたは前記サーバに記憶されたコンテンツへの顧客アクセスを制御するために、前記ネットワーク制御システムにより設定された仮想回路を更に備える、請求項１３に記載のドキュメント伝送システム。
【請求項１５】
非同期転送モード（ＡＴＭ）ネットワークを介してディジタル・ドキュメントをオンデマンドで配信する方法であって、
交換ＡＴＭネットワークを介してサーバにより受信された、ディジタル・ドキュメントを求める顧客要求を処理するステップと、
前記ディジタル・ドキュメントを、前記ＡＴＭネットワーク内にあるキャッシュ・メモリに記憶するステップと、
前記ディジタル・ドキュメントが、前記ＡＴＭネットワークに結合されたキャッシュ・システム中で得られるかどうかを決定するステップと、
前記ディジタル・ドキュメントが前記キャッシュ・システム上で得られる場合は、前記顧客要求に前記キャッシュ・システムから応じるステップと、
そうでない場合は、前記顧客要求に前記サーバから応じるステップと、を含む、前記方法。
【請求項１６】
前記顧客要求に前記サーバから応じるステップが更に、記憶するために、前記ディジタル・ドキュメントのコピーを前記キャッシュ・システムに送信するステップを含む、請求項１５に記載の方法。
【請求項１７】
前記ＡＴＭネットワークを介して所定のディジタル・ドキュメントを求める顧客注文の数を決定するステップと、
前記顧客注文数に従って、前記所定のディジタル・ドキュメントが記憶される時間を生成するステップとを更に含む、請求項１５に記載の方法。
【請求項１８】
前記ＡＴＭネットワークを介して所定のディジタル・ドキュメントを求める顧客注文の数を決定するステップと、
前記顧客注文数に従って、記憶される前記所定のディジタル・ドキュメントのコピー数を配信するステップとを更に含む、請求項１５に記載の方法。
【請求項１９】
前記顧客要求が、ディジタル加入者線を利用する顧客構内装置から発信される、請求項１５に記載の方法。
【請求項２０】
前記ディジタル・ドキュメントが、ビデオ・ファイルを含む、請求項１５に記載の方法。
【請求項２１】
ユーザーのアクセス権および要求に基づいて、前記キャッシュ・システムおよび前記サーバのコンテンツへのアクセスを管理するステップを更に含む、請求項１５に記載の方法。
【請求項２２】
前記ディジタル・ドキュメントが、ビデオを含み、前記方法が更に、ビデオのデータ・ストリームのコンテンツ・フローを顧客位置から制御するステップを含む、請求項１５に記載の方法。
【請求項２３】
前記コンテンツ・フローが、前記ビデオの反転、早送り、一時停止のうちの１つにより制御される、請求項１５に記載の方法。
【請求項２４】
前記ＡＴＭネットワークが、ネットワーク制御システムを備え、前記方法が更に、コンテンツを前記キャッシュ・システムにプッシュし、コンテンツを前記キャッシュ・システムから削除することにより、前記キャッシュ・システム上のコンテンツを管理するステップを含む、請求項１５に記載の方法。
【手続補正２】
【補正対象書類名】明細書
【補正対象項目名】発明の名称
【補正方法】変更
【補正の内容】
【発明の名称】ドキュメント伝送システムおよびドキュメントをオンデマンドで配信する方法
【手続補正３】
【補正対象書類名】明細書
【補正対象項目名】００１１
【補正方法】変更
【補正の内容】
【００１１】
図面は本発明の概念を例示するためのものであり、本発明を例示するための唯一の可能な構成というわけではないことを理解されたい。
特許請求の範囲と実施例との対応関係を実施例で使われている参照符号を用いて示すと以下の通りである。
（請求項１）
非同期転送モード（ＡＴＭ）オンデマンド・ディジタル・ドキュメント伝送システムであって、
顧客がディジタル・ドキュメントをオンデマンドで注文および受信することを可能にするように構成された顧客インタフェース・ユニット（２）と、
交換ＡＴＭネットワーク（１００）を介して顧客に伝送するためのディジタル・ドキュメントを記憶したサーバ（１６）と、
顧客から注文があったときに前記サーバ（１６）から送信されるディジタル・ドキュメントを記憶するための、前記サーバ（１６）に結合されたキャッシュ・メモリ（２０）とを備え、前記キャッシュ・メモリが、前記サーバの代わりに前記オンデマンド注文に応じることによりネットワーク・トラフィックを低減する、ドキュメント伝送システム。
（請求項２）
前記顧客インタフェース・ユニット（２）が、ディジタル加入者線（ＤＳＬ）技術をサポートする顧客構内ユニットを備える、請求項１に記載のドキュメント伝送システム。
（請求項３）
前記顧客インタフェース・ユニット（２）が、顧客注文が電話インタフェースにより行われることを許容する、請求項１に記載のドキュメント伝送システム。
（請求項４）
前記キャッシュ・メモリ（２０）をチェックして、顧客から要求された前記ディジタル・ドキュメントが前記キャッシュ・メモリに記憶されているかどうかを決定するための、前記サーバ（１６）に結合されたネットワーク制御システム（１１）を更に備える、請求項１に記載のドキュメント伝送システム。
（請求項５）
前記サーバ（１６）が、前記ドキュメントを前記キャッシュ・メモリ（２０）と前記顧客とに同時に伝送するように構成された、請求項１に記載のドキュメント伝送システム。
（請求項６）
前記キャッシュ・メモリ（２０）中に所定のドキュメントが保持される時間を決定するための、前記サーバ（１６）に結合されたネットワーク制御システム（１１）を更に備える、請求項１に記載のドキュメント伝送システム。
（請求項７）
前記キャッシュ・メモリ（２０）中に前記所定のドキュメントが保持される時間が、前記所定のドキュメントに対して出された注文の数に基づく、請求項６に記載のドキュメント伝送システム。
（請求項８）
ディジタル加入者線（ＤＳＬ）リンク上の信号を経路指定するためのマルチプレクサ（９）を更に備え、前記マルチプレクサ（９）が前記キャッシュ・メモリ（２０）を備える、請求項１に記載のドキュメント伝送システム。
（請求項９）
前記キャッシュ・メモリ（２０）が、前記交換ＡＴＭネットワーク（１００）内の端に位置し、それにより、前記キャッシュ・メモリ（２０）に記憶されたコンテンツが、前記交換ＡＴＭネットワーク（１００）内で前記顧客インタフェース・ユニット（２）に最も近い箇所から得られる、請求項８に記載のドキュメント伝送システム。
（請求項１０）
前記サーバ（１６）に結合されたネットワーク制御システム（１１）を更に備え、前記ネットワーク制御システム（１１）が、前記キャッシュ・メモリに記憶されたコンテンツを管理する、請求項１に記載のドキュメント伝送システム。
（請求項１１）
前記ドキュメントがビデオであり、前記伝送システムがビデオ・オン・デマンド（ＶｏＤ）伝送システムである、請求項１に記載のドキュメント伝送システム。
（請求項１２）
前記顧客インタフェース・ユニット（２）が顧客制御装置（３〜８）に結合され、それにより前記顧客が、ネットワーク制御システム（１１）にリモートで信号送信することにより、前記顧客に伝送されている前記ビデオのデータ・ストリームを制御する、請求項１１に記載のドキュメント伝送システム。
（請求項１３）
前記キャッシュ・メモリ（２０）または前記サーバ（１６）に記憶されたコンテンツへの顧客アクセスを制御するために、前記顧客インタフェース・ユニット（２）と前記キャッシュ・メモリ（２０）とに結合されたネットワーク制御システム（１１）を更に備える、請求項１に記載のドキュメント伝送システム。
（請求項１４）
前記キャッシュ・メモリ（２０）または前記サーバ（１６）に記憶されたコンテンツへの顧客アクセスを制御するために、前記ネットワーク制御システム（１１）により設定された仮想回路を更に備える、請求項１３に記載のドキュメント伝送システム。
（請求項１５）
非同期転送モード（ＡＴＭ）ネットワークを介してディジタル・ドキュメントをオンデマンドで配信する方法であって、
交換ＡＴＭネットワークを介してサーバにより受信された、ディジタル・ドキュメントを求める顧客要求を処理するステップ（２００）と、
前記ディジタル・ドキュメントを、前記ＡＴＭネットワーク内にあるキャッシュ・メモリに記憶するステップ（２０８）と、
前記ディジタル・ドキュメントが、前記ＡＴＭネットワークに結合されたキャッシュ・システム中で得られるかどうかを決定するステップ（２０４）と、
前記ディジタル・ドキュメントが前記キャッシュ・システム上で得られる場合は、前記顧客要求に前記キャッシュ・システムから応じるステップ（２１４）と、
そうでない場合は、前記顧客要求に前記サーバから応じるステップ（２０８）と、を含む、前記方法。
（請求項１６）
前記顧客要求に前記サーバから応じるステップ（２０８）が更に、記憶するために、前記ディジタル・ドキュメントのコピーを前記キャッシュ・システムに送信するステップ（２０８）を含む、請求項１５に記載の方法。
（請求項１７）
前記ＡＴＭネットワークを介して所定のディジタル・ドキュメントを求める顧客注文の数を決定するステップ（２１３）と、
前記顧客注文数に従って、前記所定のディジタル・ドキュメントが記憶される時間を生成するステップ（２１３）とを更に含む、請求項１５に記載の方法。
（請求項１８）
前記ＡＴＭネットワークを介して所定のディジタル・ドキュメントを求める顧客注文の数を決定するステップ（２１３）と、
前記顧客注文数に従って、記憶される前記所定のディジタル・ドキュメントのコピー数を配信するステップ（２１３）とを更に含む、請求項１５に記載の方法。
（請求項１９）
前記顧客要求が、ディジタル加入者線を利用する顧客構内装置（２）から発信される、請求項１５に記載の方法。
（請求項２０）
前記ディジタル・ドキュメントが、ビデオ・ファイルを含む、請求項１５に記載の方法。
（請求項２１）
ユーザーのアクセス権および要求に基づいて、前記キャッシュ・システムおよび前記サーバのコンテンツへのアクセスを管理するステップ（２０１）を更に含む、請求項１５に記載の方法。
（請求項２２）
前記ディジタル・ドキュメントが、ビデオを含み、前記方法が更に、ビデオのデータ・ストリームのコンテンツ・フローを顧客位置から制御するステップ（３０１）を含む、請求項１５に記載の方法。
（請求項２３）
前記コンテンツ・フローが、前記ビデオの反転、早送り、一時停止のうちの１つにより制御される（３０３）、請求項１５に記載の方法。
（請求項２４）
前記ＡＴＭネットワークが、ネットワーク制御システム（１１）を備え、前記方法が更に、コンテンツを前記キャッシュ・システムにプッシュし（２０８）、コンテンツを前記キャッシュ・システムから削除する（２１３）ことにより、前記キャッシュ・システム上のコンテンツを管理するステップを含む、請求項１５に記載の方法。